(57)【要約】【課題】  設置が容易で、自動的に小便飛散防止ガードが昇降し、便器内の小便の飛散も防止でき、温水洗浄便座にも使用可能な小便飛散防止具を提供する。    【課題を解決するための手段】  略筒状の小便飛散防止用カバー部材と、カバー部材を積載保持する装着体とからなり、装着体は、略リング状の本体と、本体を便器内に浮遊状態で保持する保持部とからなり、保持部は、便器リム部に係止し、カバー部材は、本体の中心軸と平行に伸縮又は折り畳みが可能で、便座上げ時には、カバー部材が自動的に便器上方へ伸長し、便座下げ時には、カバー部材が便器内に収納されることを特徴とする。また、カバー部材は、シート状のカバーと、カバーの伸縮を制御する昇降機構とからなり、昇降機構は、略リング状である押込本体に突起が設けられた押込具を備えている。【選択図】  図１
2008297779.tif 000002
【特許請求の範囲】
【請求項１】
洋式便器に取り付ける着脱式の小便飛散防止具であって、略筒状の小便飛散防止用カバー部材と、該カバー部材を積載保持する装着体とからなり、該装着体は、略リング状の本体と、該本体を便器内に浮遊状態で保持する保持部とからなり、該保持部は、該便器リム部に係止し、該カバー部材は、該本体の中心軸と平行に伸縮又は折り畳みが可能で、前記便座上げ時には該カバー部材が自動的に便器上方へ伸長し、該便座下げ時には該カバー部材が前記便器内に収納されることを特徴とする小便飛散防止具。
【請求項２】
前記カバー部材は、シート状のカバーと、該カバーの伸縮を制御する昇降機構とからなり、該昇降機構はバネ部材を有し、該カバーは、該バネ部材の外周面又は内周面のいずれか一方又は両方に取り付けられることを特徴とする請求項１に記載の小便飛散防止具。
【請求項３】
前記昇降機構は、前記バネ部材の天部に設けられた押込具と、前記装着体又は前記カバー部材と回転可能に連結されたガイド部材とを備え、該ガイド部材は、第一ガイド片と、該第一ガイド片に連結された第二ガイド片とからなり、該第一ガイド片は、一方の端部が前記装着体又は前記カバー部材と連結し、もう一方の端部が前記押込具の天部に係止し、前記第二ガイド片は、一方の端部が前記押込具と連結し、もう一方の端部が該第一ガイド片と連結し、該第二ガイド片と該第一ガイド片との連結部を基軸として回転可能であることを特徴とする請求項２に記載の小便飛散防止具。
【請求項４】
前記押込具は、略リング状の押込本体と、該押込本体に設けられた突起とからなり、前記第二ガイド片の一方の端部が該突起と連結していることを特徴とする請求項２又は３に記載の小便飛散防止具。
【発明の詳細な説明】
【技術分野】
【０００１】
本発明は、洋式便器で男性が立った姿勢で小便する時に、小便又は便器内の溜まり水の飛散を防止する小便飛散防止具に関する。
【背景技術】
【０００２】
一般的な家庭や小規模店舗等では、スペース等の関係からトイレに洋式便器を一基のみ設置するケースが多い。そのため、男性が小便をする時は便座を上げて立った姿勢でしていた。しかし、立った姿勢の放尿は、放尿位置から便器までの距離が遠いため、尿が便器に衝突して雫が便器内外に飛散してまうという問題が生じていた。また、便器内の排水口には防臭のために溜まり水が設けられており、この溜まり水に尿が衝突すると、溜まり水も跳ね上がったり、飛散してしまうという問題も有していた。この様な問題を解決するため、実開平５−９６１７６号に記載の考案をはじめとし、種々の器具、装置等が研究、開発された。実開平５−９６１７６号に記載の考案は、便器のリム部に設置する小便飛散防止装置に関するものであり、小便時には折りたたみ式の飛散防止ガードを伸長させて、小便の飛散を防止しようとするものである。
【特許文献１】実開平５−９６１７６号公報
【発明の開示】
【発明が解決しようとする課題】
【０００３】
しかし、実開平５−９６１７６号に記載の考案は、便器リム部から飛散防止ガードが伸長するものであるため、便器外に飛散しようとする尿をガードすることはできるが、便器内では尿が飛散したままであるという問題を有している。尿が便器に付着すると、便器の黄ばみ、尿せき、臭いの原因となってしまう。また、便器内で飛散した尿は、掃除しにくい便器ふち裏に付着しやすく、掃除が面倒で、臭いが消えにくいという問題も有している。
【０００４】
便器内の小便の飛散については、便器全体を覆うような使い捨てシート等の提案もあるが、排尿行為のためだけにシートを使用することは、コストやシート設置の煩わしさ等から考えるとあまり実用的でない。また、便器外から器具や装置を移動させて使用する発明もあるが、使用するのが面倒であるという問題を有している。また、大掛かりな装置等は設置場所やコスト面などの問題から、一般家庭のトイレに設置しにくいという問題も有している。
【０００５】
以上のことから、小型で、設置が容易で、放尿時には自動的に小便の飛散をガードができ、放尿終了時には自動的に収納され、便器内の小便の飛散を防止することができる小便飛散防止具の開発が望まれていた。
【課題を解決するための手段】
【０００６】
上記課題を解決するため本発明に係る小便飛散防止具は、略筒状の小便飛散防止用カバー部材と、カバー部材を積載保持する装着体とからなり、装着体は、略リング状の本体と、本体を便器内に浮遊状態で保持する保持部とからなり、保持部は、便器リム部に係止し、カバー部材は、本体の中心軸と平行に伸縮又は折り畳みが可能で、便座上げ時には、カバー部材が自動的に便器上方へ伸長し、便座下げ時には、カバー部材が便器内に収納されることを特徴とする。
【０００７】
また、カバー部材は、シート状のカバーと、カバーの伸縮を制御する昇降機構とからなり、昇降機構はバネ部材を有し、カバーは、バネ部材の外周面又は内周面のいずれか一方又は両方に取り付けられていても良い。
【０００８】
また、昇降機構は、バネ部材の天部に設けられた押込具と、装着体又はカバー部材と回転可能に連結されたガイド部材とを備え、ガイド部材は、第一ガイド片と、第一ガイド片に連結された第二ガイド片とからなり、第一ガイド片は、一方の端部が装着体又はカバー部材と連結し、もう一方の端部が押込具の天部に係止し、第二ガイド片は、一方の端部が押込具と連結し、もう一方の端部が第一ガイド片と連結し、第二ガイド片と第一ガイド片との連結部を基軸として回転可能であっても良い。
【０００９】
また、押込具は、略リング状の押込本体と、押込本体に設けられた突起とからなり、第二ガイド片の一方の端部が突起と連結しているのが良い。
【発明の効果】
【００１０】
本発明に係る小便飛散防止具は、略筒状の小便飛散防止用カバー部材と、カバー部材を積載保持する装着体とからなり、装着体は、略リング状の本体と、本体を便器内に浮遊状態で保持する保持部とからなり、保持部は、便器リム部に係止し、カバー部材は本体の中心軸と平行に伸縮又は折り畳みが可能で、便座上げ時には、カバー部材が自動的に便器上方へ伸長し、便座下げ時には、カバー部材が便器内に収納されるため、便器内での小便又は溜まり水の飛散を防止することができ、便器内や便器のふち裏等の黄ばみ・尿石等の付着を防止することができる。更に、便座の上げ下げによって小便飛散防止具が自動的に昇降するため、小便飛散防止具に触れる必要が無く、使用が容易である。
【００１１】
また、カバー部材は、シート状のカバーと、カバーの伸縮を制御する昇降機構とからなり、昇降機構はバネ部材を有し、カバーは、バネ部材の外周面又は内周面のいずれか一方又は両方に取り付けられているため、小便飛散防止具の軽量化が容易で、便器への着脱が容易である。
【００１２】
また、昇降機構にはガイド部材が設けられているため、バネ部材の伸縮方向を一定に保つことができ、故障や放尿の妨げになるおそれが低減される。
【００１３】
また、押込具を有しているため、便座の荷重を正確にバネ部材に伝え、確実に小便飛散防止具を便器内に収納することができる。更に、押込具には突起が設けられているため、便器内に収納した小便飛散防止具と便座との間に間隙が生じ、温水洗浄便座の洗浄用突起の進入の妨げにならない。
【発明を実施するための最良の形態】
【００１４】
本発明に係る小便飛散防止具２について、図を参照にしながら説明する。図１は、小便飛散防止具２の一実施の形態を示した説明図であり、図２は小便飛散防止具２の収納状態を示した説明図であり、図５は小便飛散防止具２を洋式便器３０に設置した状態を示した説明図である。なお、これらの図は本発明を説明するためだけのものであり、本発明を何ら限定するものではない。
【００１５】
本発明に係る小便飛散防止具２は、カバー部材１０と、装着体４とからなる。図１などでは、装着体４にカバー部材１０を着脱自在に取り付けて使用する構造になっているが、カバー部材１０及び装着体４が一体形成されていても良い。装着体４の材料としては、錆びにくく、適度な強度を有する材料が良く、具体的には、ステンレス、アルミニウム、樹脂等が良い。装着体４としては、図１又は図２に示されたように、略リング状の本体６に保持部８を連結させた形状が良い。図中では、本体６の形状が楕円形になっているが、必ずしも円形である必要は無く、角形状やＵ字状であっても良く、洋式便器３０内で収納可能であれば良い。また、装着体４の寸法についても特に限定しないが、小便飛散防止具２のいずれの部材も洋式便器内側面に近接する程度の大きさであるのが良く、便座３４を下げた時に小便飛散防止具２が便座３４の開口部に隠れるような形状であると更に良い。また、装着体４と洋式便器３０の間に１ｍｍ〜５０ｍｍ程度の間隙が設けられるのが良い。これについては後述するが、間隙を設けることにより小便飛散防止具２を設置しても排水の妨げにならず、且つ、排水時にカバー１２に水分を含ませることができるという利点を有する。また、保持部８については、本体６を洋式便器３０内で浮遊状態に保持することができればどの様な形状であっても良い。図１及び図２で示された保持部８は、洋式便器３０のリム部３２に係止する係止部が設けられているが、この形状に限らずその他の形状や構造、手段であっても良い。また、保持部８に滑り止め用のシリコンやゴム等を設けても良い。また、保持部８の設置箇所や設置数等については、適宜設定すれば良い。また、保持部８のアームの高さ調節が可能であっても良い。また、図１又は図２では、装着体４の保持部８と相対する箇所に補助板が設けられているが、これによりカバー部材１０の移動を防止し、バネ部材１６の伸縮方向を一定に保つことが可能となる。カバー部材１０の移動を防止するために、装着体４に突起２８や窪み等を設けても良い。
【００１６】
次に、本発明に係るカバー部材１０とは、洋式便器３０又は溜まり水に衝突した小便の飛散を防ぐ部材及びこの部材を補助する部材を指す。図では、カバー部材１０を装着体４に積載する構造になっているが、カバー部材１０と装着体が一体形成されていても良い。カバー部材１０の形状については適宜設定すれば良いが、装着体４に積載した時に一体化される形状が良く、断面円形、断面楕円状、断面Ｕ字状の筒状体が良い。
【００１７】
また、カバー部材１０はシート状のカバー１２を備えていることを特徴とする。カバー１２とは、洋式便器３０や溜まり水に衝突して飛散した尿又は溜まり水をガードする部材を指す。このカバー１２は、伸縮又は折り畳み可能で、適度な吸水性・透水性を有する材料で形成されているのが好ましく、具体的には、海綿、スポンジ、各種布等が良い。吸水性に優れた部材を使用すれば、洋式便器３０内に流れる排水の水分をカバー１２に含ませることが容易となる。これは、排水時の排水でカバー１２を洗浄できると共に、排水でカバー１２を洗浄できない場合でも、カバー１２に水分を含ませることができ、臭いを低減させることが可能となる。また、柔軟性・防水性に優れたビニール等の樹脂、化学繊維、不織布等を使用することも可能である。これらの材料を使用する時、カバー１２の吸水性を確保するために、カバー１２を網目状に形成したり、カバー１２に複数の穴を設けても良い。また、カバー１２は、バネ部材１６又は昇降機構１４と着脱可能に取り付けられ、バネ部材１６の外周面又は内周面のいずれか一方又は両方に取り付けられるのが良い。取り付け方法や手段等については、強粘着性の両面テープでバネ部材に貼着したり、アタッチメント等の装着部材や手段を使用しても良いし、カバー１２をバネ部材１６に被覆しても良く、種々の条件を考慮して適宜設定すれば良い。
【００１８】
また、カバー部材１０は昇降機構１４を備えていても良い。昇降機構１４は、カバー１２の伸縮を制御する機構を指し、本発明ではバネ部材１６を使用している。図３中では、一つの大型バネ部材１６を使用しているが、本体６に積載可能な程度の小型バネを複数使用しても良い。このバネ部材１６は、便座３４上げ時には自動的にカバー１２を伸長させ、便座３４下げ時には便座３４の荷重によって収縮する程度の弾力を有しているのが良い。
【００１９】
また、昇降機構１４はガイド部材１８を有していても良い。ガイド部材１８とは、バネ部材１６の伸縮方向を一定に保つ部材又は機構を指す。本発明に係る小便飛散防止具２は洋式便器３０内に収納するため、本体６の中心軸と平行にバネ部材１６が伸縮しないと、カバー部材１０が放尿の妨げになったり、便座３４を正常に下げられなくなるおそれがある。特に便座３４は、洋式便器３０との連結部を基軸として回転するため、カバー部材１０を伸縮させようとする方向とは角度が若干異なり、バネ部材１６の伸縮方向が変化するおそれがある。そこで、ガイド部材１８を設け、バネ部材１６の伸縮方向を一定に保とうとするものである。ガイド部材１８の形状、構造については、種々の条件を考慮して適宜設定すれば良いが、図３に示されたようなガイド部材１８であっても良い。このガイド部材１８は、第一ガイド片２０と、第一ガイド片２０に連結された第二ガイド片２２からなる。図中では、一対の第一ガイド片２０の端部同士を棒状の連結片で連結し、この連結片を補助部材に設けられた係止部に係止している。図中では第一ガイド片２０が補助部材と連結しているが、その他の部材、例えば装着体４に係止又は連結しても良く、適宜設定すれば良い。また、第一ガイド片２０の一方の端部は、バネ部材１６の天部とスライド可能に係止しているのが良い。また、第二ガイド片２２は、一方の端部が第一ガイド片２０と連結し、もう一方の端部は押込具２４又は図１に示されたように、押込具２４の突起２８と連結している。また、第二ガイド片２２は、第一ガイド片２０との連結部を基軸として回転可能な構造になっている。図４は、このガイド部材１８を使用した時の昇降機構１４の動作状況を示した説明図で、（ａ）は便座３４を上げた状態、（ｂ）は便座３４を下げた状態を示している。まず、便座３４を下げた時、便座３４は押込具２４の突起２８に接触する。押込具２４及びバネ部材１６は、便座３４の荷重によって下方に押し込められるが、上記した通り便座３４は回転して下げられるため、便座３４の荷重は押込具２４及びバネ部材１６に対して、垂直方向よりも若干前方側にかかる。この時、押込具２４の突起２８と連結している第二ガイド片２２は、連結部を軸として回転し、第一ガイド片２０を矢印側へと押し込む。第一ガイド片２０は、押込具２４の天部とスライド可能に係止し、補助部材と回転可能に連結しているため、第一ガイド片２０の係止部が図中の矢印方向にスライドする。第二ガイド片２２からの圧力がかかり続けると、更に係止部が矢印方向へスライドするが、第一ガイド片２０は補助部材と連結しているため、回転して押込具２４を下方へ押し込もうとする。その結果、バネ部材１６の伸縮方向が一定に保たれる。
【００２０】
また、昇降機構１４は押込具２４を有していても良い。押込具２４とは、バネ部材１６の天部に設けられ、便座３４の荷重によってバネ部材１６を収縮させるための部材を指す。押込具２４の手段、構造については特に限定しないが、図３に示されたように、略リング状の押込本体２６をバネ部材１６の天部に設けても良い。この押込本体２６の形状は、バネ部材１６と一体化する形状であっても良いし、別の形状であっても良い。また、図示されているように、押込本体２６には突起２８を設けても良い。この突起２８は、便座３４下げ時に便座３４と最初に接触するように設けられている。これにより、バネ部材１６を確実に収縮できると共に、突起２８の高さ分だけバネ部材１６が押し込まれ、便座３４とバネ部材１６との間に間隙が生じる。この間隙を設けることにより、温水洗浄便座の洗浄用突起の軌道を確保することができる。また、突起２８の先端部は、図３に示されたように、傾斜が設けられていても良い。この傾斜は、便座３４を下げた時に便座３４と接する角度にあわせた形状するのが良い。また、便座３４下げ時に便座３４と最初に接触する箇所にはゴム等の緩衝材を設けても良い。また、突起２８の高さ調節が可能な調節機構が設けられていても良い。この調節機構を設ければ、洗浄用突起の位置や軌道が異なる洋式便器３０に対しても小便飛散防止具２が設置可能となる。また、押込本体２６とバネ部材１６との接触面には、バネ部材１６が移動しないように、溝・係止手段・嵌合部等を設けても良い。
【００２１】
なお、図面ではカバー部材１０の押込具２４、バネ部材１６、カバー１２の外周の一部が平坦に成型されている。これは、温水洗浄便座に関係する。温水洗浄便座は、自動便座昇降やその他の目的のためにセンサーが設けられ、センサー内蔵部は、便座と便器の回転軸近傍に設けられていることが多く、センサー内蔵部が便器リム部３２よりも便器内側に若干迫り出すケースが多い。そこで、図示されたように、カバー部材１０の外周の一部を平坦に成型することにより、小便飛散防止具２が伸長しても、センサー内蔵部と衝突することを回避しようとするものである。
【００２２】
以上が本発明に係る小便飛散防止具２についての説明であるが、本発明の目的を逸脱しない限り、種々の条件や設定は変更が可能である。例えば、図３中では、補助部材をカバー部材１０の一部として説明しているが、装着体４の一部であっても良い。また、補助部材は、必ずしも設ける必要は無い。
【図面の簡単な説明】
【００２３】
【図１】本発明に係る小便飛散防止具の一実施の形態を示した説明図である。
【図２】本発明に係る小便飛散防止具の収納状態を示した説明図である。
【図３】本発明に係るカバー部材の一形態を示した展開図である。
【図４】本発明に係る昇降機構の動作状況を示した説明図である。
【図５】本発明に係る小便飛散防止具の一使用例を示した説明図である。
【符号の説明】
【００２４】
２    小便飛散防止具
４    装着体
６    本体
８    保持部
１０  カバー部材
１２  カバー
１４  昇降機構
１６  バネ部材
１８  ガイド部材
２０  第一ガイド片
２２  第二ガイド片
２４  押込具
２６  押込本体
２８  突起
３０  洋式便器
３２  リム部
３４  便座
【図１】
2008297779.tif 000003
【図２】
2008297779.tif 000004
【図３】
2008297779.tif 000005
【図４】
2008297779.tif 000006
【図５】
2008297779.tif 000007